Podtech/llm-jp-corpus-v4-ja_patent huggingface dataset:
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
以下を含むジメチルフマラートの調製方法：
（ａ）フマル酸、および
（ｂ）メタノールを、
硫酸の存在下、フマル酸１ｋｇあたり約５．７〜約８．６リットルのメタノールというメタノールのフマル酸に対する比率で、反応混合物中で反応させて、ジメチルフマラートおよび低レベルのジメチルスルファートを含む生成物混合物を得ることであって、ここで、ジメチルスルファートのレベルが４．０ｐｐｍ未満である、方法。
【請求項２】
ジメチルスルファートのレベルが３．０ｐｐｍ未満である、請求項１に記載の方法。
【請求項３】
ジメチルスルファートのレベルが２．０ｐｐｍ未満である、請求項１に記載の方法。
【請求項４】
ジメチルスルファートのレベルが１．０ｐｐｍ未満である、請求項１に記載の方法。
【請求項５】
フマル酸：スルホン酸の比率が、約１：０．０１〜約１：０．５０の範囲にある、請求項１〜４のいずれかに記載の方法。
【請求項６】
前記反応させることが、約３．０〜約４８時間にわたる、請求項１〜５のいずれかに記載の方法。
【請求項７】
前記反応させることが、約６０℃〜約７０℃の温度で行われる、請求項１〜６のいずれかに記載の方法。
【請求項８】
前記反応混合物が、約２．０％〜約５．０％の水をさらに含む、請求項１〜７のいずれかに記載の方法。
【請求項９】
フマル酸：硫酸のモル当量の比率が、約１：０．０１〜約１：０．５０の範囲にあり、
前記反応混合物は、約２．０％〜約５．０％の水をさらに含み、
前記反応させることが、約３．０〜約４８時間にわたり、そして
前記反応させることが、約６０℃〜約７０℃の温度で行われる、
請求項１〜８のいずれかに記載の方法。
【請求項１０】
さらに、前記ジメチルフマラートの粒径を小さくさせることを含む、請求項１〜９のいずれかに記載の方法。
【請求項１１】
前記ジメチルフマラートの小さくさせた粒径が約２０μｍから約２５０μｍの範囲である、請求項１０に記載の方法。
【請求項１２】
請求項１〜１１のいずれかに記載の方法にしたがって生成される、ジメチルフマラートと低レベルのジメチルスルファートとを含む生成物混合物であって、ここでジメチルスルファートのレベルが４．０ｐｐｍ未満である、生成物混合物。
【請求項１３】
ジメチルスルファートのレベルが３．０ｐｐｍ未満である、請求項１２に記載の生成物混合物。
【請求項１４】
ジメチルスルファートのレベルが２．０ｐｐｍ未満である、請求項１２に記載の生成物混合物。
【請求項１５】
ジメチルスルファートのレベルが１．０ｐｐｍ未満である、請求項１２に記載の生成物混合物。
【請求項１６】
前記ジメチルフマラートがジメチルフマラートの結晶形Ｉである、請求項１２に記載の生成物混合物。
【請求項１７】
請求項１に記載の方法にしたがって生成されるジメチルフマラートの結晶形Ｉ。
【請求項１８】
ジメチルフマラートの粒径が約２０μｍ〜約２５０μｍの範囲であるジメチルフマラートを含む、医薬組成物。
【手続補正２】
【補正対象書類名】明細書
【補正対象項目名】００１３
【補正方法】変更
【補正の内容】
【００１３】
ジメチルフマラートを含む医薬組成物であって、ジメチルフマラートの粒径は約２０μｍから約２５０μｍの範囲である、医薬組成物。
特定の実施形態では、例えば以下が提供される：
（項目１）
以下を含むジメチルフマラートの調製方法：
（ａ）フマル酸、および
（ｂ）メタノールを、
（ｃ）硫酸の存在下、
反応混合物中で反応させて、低レベルのジメチルスルファートを含む生成物混合物を得ること。
（項目２）
ジメチルスルファートのレベルが４．０ｐｐｍ未満である、項目１に記載の方法。
（項目３）
ジメチルスルファートのレベルが３．０ｐｐｍ未満である、項目１に記載の方法。
（項目４）
ジメチルスルファートのレベルが２．０ｐｐｍ未満である、項目１に記載の方法。
（項目５）
ジメチルスルファートのレベルが１．０ｐｐｍ未満である、項目１に記載の方法。
（項目６）
さらに、前記ジメチルフマラートの粒径を小さくさせることを含む、項目１に記載の方法。
（項目７）
前記ジメチルフマラートの小さくさせた粒径が約２０μｍから約２５０μｍの範囲である、項目６に記載の方法。
（項目８）
結晶形Ｉであるジメチルフマラートの調製方法であって、該結晶形は、およそ１０．９６および２２．０１の２θ度で表されるピークを特徴とし、該方法は、
（ａ）フマル酸、および
（ｂ）メタノールを
（ｃ）硫酸の存在下で、
反応混合物中で反応させて、低レベルのジメチルスルファートを含む生成物混合物を得ることを含む、方法。
（項目９）
前記結晶形はさらに、およそ２４．０７、２４．１１、２４．１７、および２７．３９の２θ度で表されるピークを特徴とする、項目８に記載の方法。
（項目１０）
ジメチルスルファートのレベルが４．０ｐｐｍ未満である、項目８に記載の方法。
（項目１１）
ジメチルスルファートのレベルが３．０ｐｐｍ未満である、項目８に記載の方法。
（項目１２）
ジメチルスルファートのレベルが２．０ｐｐｍ未満である、項目８に記載の方法。
（項目１３）
ジメチルスルファートのレベルが１．０ｐｐｍ未満である、項目８に記載の方法。
（項目１４）
さらに、有機溶媒を使用してジメチルフマラートを再結晶化することを含む、項目８に記載の方法。
（項目１５）
前記有機溶媒が、アセトン、アニソール、ベンジルアルコール、１−ブタノール、２−ブタノール、クメン、ジクロロメタン、ジエチルエーテル、１，４−ジオキサン、Ｎ，Ｎ−ジメチルホルムアミド、ジメチルスルホキシド、エチルアセタート、エタノール、エチレングリコール、エチルホルマート、水、ヘプタン、イソブチルアセタート、イソプロピルエーテル、イソプロピルアセタート、イソオクタン、アセトニトリル、メチルエチルケトン、メタノール、メチルアセタート、メチルシクロヘキサン、メチルイソブチルケトン、ニトロベンゼン、Ｎ−メチルピロリドン、１−オクタノール、イソペンタノール、プロピルアセタート、１−プロパノール、２−プロパノール、ピリジン、ｔ−ブチルメチルエーテル、テトラヒドロフラン、トリエチルアミン、トリフルオロトルエン、トルエン、ｐ−キシレン、およびそれらの混合物からなる群から選択される、項目１４に記載の方法。
（項目１６）
項目１に記載の方法にしたがって生成されるジメチルフマラート。
（項目１７）
項目８に記載の方法にしたがって生成されるジメチルフマラートの結晶形Ｉ。
（項目１８）
ジメチルフマラートの粒径が約２０μｍ〜約２５０μｍの範囲であるジメチルフマラートを含む、医薬組成物。
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
血液透析を受けている患者における慢性腎疾患に伴う骨ミネラル代謝異常（ＣＫＤ−ＭＢＤ）の処置において使用するための、式：
Ｘ１−Ｘ２−Ｘ３−Ｘ４−Ｘ５−Ｘ６−Ｘ７
を含み、ここで、
Ｘ１は、チオール含有基を含むサブユニットであり；Ｘ５は、カチオン性サブユニットであり；Ｘ６は、非カチオン性サブユニットであり；Ｘ７は、カチオン性サブユニットであり；
Ｘ２、Ｘ３およびＸ４のうちの少なくとも２つは、独立に、カチオン性サブユニットである、
化合物を含む組成物であって、
血液透析が完了する約１５分前に始まり血液透析が完了した約３時間後に終わる期間内に投与され、該投与するステップが、透析後少なくとも約６時間の期間にわたって血液透析前の血清リンレベルよりも低い血液透析後の血清リンレベルを維持するために有効である、組成物。
【請求項２】
前記化合物がＡｃ−ｃ（Ｃ）ａｒｒｒａｒ−ＮＨ２（配列番号３）を含む、請求項１に記載の組成物。
【請求項３】
前記化合物が配列番号３の薬学的に許容される塩を含む、請求項２に記載の組成物。
【請求項４】
前記塩が塩酸塩である、請求項３に記載の組成物。
【請求項５】
前記化合物が、血液透析が完了する約１５分前に始まり血液透析の約１時間後に終わる期間内に投与される、請求項１から４までのいずれか一項に記載の組成物。
【請求項６】
前記化合物が透析の最後の返血手順の間に投与される、請求項１から４までのいずれか一項に記載の組成物。
【請求項７】
前記患者がホスフェート結合剤で処置されている、請求項１から６までのいずれか一項に記載の組成物。
【請求項８】
前記投与するステップが、血液透析前の血清リンレベルよりも少なくとも約１０％低い血液透析後の血清リンレベルを透析と透析の間の期間にわたって維持するために有効である、請求項１から６までのいずれか一項に記載の組成物。
【請求項９】
患者が二次性副甲状腺機能亢進症または原発性副甲状腺機能亢進症について処置されている、請求項１から６までのいずれか一項に記載の組成物。
【請求項１０】
血液透析を受けている患者のＣＫＤ−ＭＢＤを処置するための組成物であって、化合物を含み、該患者に、経口カルシウム感知受容体アゴニストを投与し、該アゴニストを血液透析が完了する約６時間前に始まり血液透析が完了した約１時間後に終わる期間内に投与し、該投与するステップが、透析が完了した後少なくとも約６時間の期間にわたって、血液透析前の血清リンレベルよりも低い血液透析後の血清リンレベルを維持するために有効であることを特徴とする、組成物。
【請求項１１】
前記アゴニストがシナカルセト塩酸塩（Ｃ２２Ｈ２２Ｆ３Ｎ・ＨＣｌ）である、請求項１０に記載の組成物。
【請求項１２】
前記患者がホスフェート結合剤で処置されている、請求項１０または１１に記載の組成物。
【請求項１３】
前記患者が二次性副甲状腺機能亢進症または原発性副甲状腺機能亢進症について処置されている、請求項１０または１１に記載の組成物。
【請求項１４】
前記投与するステップが、血液透析前の血清リンレベルよりも少なくとも約１０％低い血液透析後の血清リンレベルを、透析と透析の間の期間にわたって維持するために有効である、請求項１０または１１に記載の組成物。
【手続補正２】
【補正対象書類名】明細書
【補正対象項目名】００３４
【補正方法】変更
【補正の内容】
【００３４】
本明細書に記載の態様のうちのいずれかの実施形態では、上記ＣａＳＲアゴニストは、配列ｃａｒｒｒａｒ（配列番号２）を含む化合物であってよい。他の実施形態では、上記ＣａＳＲアゴニストは、ペプチドｃａｒｒｒａｒ（配列番号２）で構成されるコンジュゲートであり、そのペプチドはそのＮ末端残基でＣｙｓ残基とコンジュゲートしている。好ましい実施形態では、コンジュゲートはＡｃ−ｃ（Ｃ）ａｒｒｒａｒ−ＮＨ２（配列番号３）である。
本発明は、例えば、以下を提供する。
（項目１）
血液透析を受けている患者における慢性腎疾患に伴う骨ミネラル代謝異常（ＣＫＤ−ＭＢＤ）の処置において使用するための、式：
Ｘ１−Ｘ２−Ｘ３−Ｘ４−Ｘ５−Ｘ６−Ｘ７
を含み、ここで、
Ｘ１は、チオール含有基を含むサブユニットであり；Ｘ５は、カチオン性サブユニットであり；Ｘ６は、非カチオン性サブユニットであり；Ｘ７は、カチオン性サブユニットであり；
Ｘ２、Ｘ３およびＸ４のうちの少なくとも２つは、独立に、カチオン性サブユニットである、
化合物を含む組成物であって、
血液透析が完了する約１５分前に始まり血液透析が完了した約３時間後に終わる期間内に投与され、該投与するステップが、透析後少なくとも約６時間の期間にわたって血液透析前の血清リンレベルよりも低い血液透析後の血清リンレベルを維持するために有効である、組成物。
（項目２）
前記化合物がＡｃ−ｃ（Ｃ）ａｒｒｒａｒ−ＮＨ２（配列番号３）を含む、項目１に記載の組成物。
（項目３）
前記化合物が配列番号３の薬学的に許容される塩を含む、項目２に記載の組成物。
（項目４）
前記塩が塩酸塩である、項目３に記載の組成物。
（項目５）
前記化合物が、血液透析が完了する約１５分前に始まり血液透析の約１時間後に終わる期間内に投与される、項目１から４までのいずれか一項に記載の組成物。
（項目６）
前記化合物が透析の最後の返血手順の間に投与される、項目１から４までのいずれか一項に記載の組成物。
（項目７）
前記患者がホスフェート結合剤で処置されている、項目１から６までのいずれか一項に記載の組成物。
（項目８）
前記投与するステップが、血液透析前の血清リンレベルよりも少なくとも約１０％低い血液透析後の血清リンレベルを透析と透析の間の期間にわたって維持するために有効である、項目１から６までのいずれか一項に記載の組成物。
（項目９）
患者が二次性副甲状腺機能亢進症または原発性副甲状腺機能亢進症について処置されている、項目１から６までのいずれか一項に記載の組成物。
（項目１０）
血液透析を受けている患者のＣＫＤ−ＭＢＤを処置するための化合物を投与するための投薬レジメンであって、該レジメンは、該患者に、経口カルシウム感知受容体アゴニストを投与するステップを含み、該アゴニストを血液透析が完了する約６時間前に始まり血液透析が完了した約１時間後に終わる期間内に投与し、該投与するステップが、透析が完了した後少なくとも約６時間の期間にわたって、血液透析前の血清リンレベルよりも低い血液透析後の血清リンレベルを維持するために有効である、投薬レジメン。
（項目１１）
カルシウム模倣薬がシナカルセト塩酸塩（Ｃ２２Ｈ２２Ｆ３Ｎ・ＨＣｌ）である、項目１４に記載の投薬レジメン。
（項目１２）
前記患者がホスフェート結合剤で処置されている、項目１０または１１に記載の投薬レジメン。
（項目１３）
前記患者が二次性副甲状腺機能亢進症または原発性副甲状腺機能亢進症について処置されている、項目１０または１１に記載の投薬レジメン。
（項目１４）
前記投与するステップが、血液透析前の血清リンレベルよりも少なくとも約１０％低い血液透析後の血清リンレベルを、透析と透析の間の期間にわたって維持するために有効である、項目１０または１１に記載の投薬レジメン。
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
(i)金属および/または半導体を含むコアと、
(ii)コアに共有結合により連結した複数のリガンドを含むコロナであって、前記リガンドの少なくとも1つが、炭水化物部分を含む、コロナと、
(iii)コロナに非共有的に結合した少なくとも2つの異なる種のペプチドとを含む、ナノ粒子。
【請求項２】
ペプチドが、可逆的にコロナに結合している、請求項1に記載のナノ粒子。
【請求項３】
ペプチドが、インスリン、GLP-1、エキセナチド、IGF1、IGF2、リラキシン、INSL5、INSL6、INSL7、膵臓ポリペプチド(PP)、ペプチドチロシンチロシン(PTT)、神経ペプチドY、オキシトシン、バソプレッシン、GnRH、TRH、CRH、GHRH/ソマトスタチン、FSH、LH、TSH、CGA、プロラクチン、ClIP、ACTH、MSH、エンドルフィン、リポトロピン、GH、カルシトニン、PTH、インヒビン、リラキシン、hCG、HPL、グルカゴン、ソマトスタチン、メラトニン、チモシン、チムリン、ガストリン、グレリン、チモポエチン、CCK、GIPセクレチン、モチンVIP、エンテログルカゴン、IGF-1、IGF-2、レプチン、アディポネクチン、レジスチン、オステオカルシン、レニン、EPO、カリシトロール、ANP、BNP、ケモカイン、サイトカイン、アディポカイン、PYY(3-36)、オキシントモジュリン、およびそれらの好適な生物活性類似体からなる群から独立して選択される、請求項1または2に記載のナノ粒子。
【請求項４】
(i)ペプチドの1つが、単量体および/もしくは二量体ヒトインスリンまたはヒトインスリンの好適な類似体、ならびに/またはエキセナチドおよびその好適な類似体である、または
(ii)ペプチドの1つが、GLP-1もしくはGLP-1の好適な類似体、ならびに/またはエキセナチドおよびその好適な類似体である、または
(iii)ペプチドが、インスリン、GLP-1およびエキセナチドのうちの少なくとも2つを含む、
請求項3に記載のナノ粒子。
【請求項５】
コアに共有結合により連結した前記複数のリガンドが、少なくとも第1のリガンドおよび第2のリガンドを含み、第1および第2のリガンドが異なる、請求項1から4のいずれか一項に記載のナノ粒子。
【請求項６】
(a)前記第1のリガンドが、2'-チオエチル-α-D-ガラクトピラノシドを含み、前記第2のリガンドが、1-アミノ-17-メルカプト-3,6,9,12,15-ペンタオキサ-ヘプタデカノールを含むか、
(b)前記第1のリガンドが、2'-チオエチル-β-D-グルコピラノシドまたは2'-チオエチル-α-D-グルコピラノシドを含み、前記第2のリガンドが、5'-チオペンタニル-2-デオキシ-2-イミダゾールアセトアミド-α,β-D-グルコピラノシドを含むか、
(c)前記第1のリガンドが、2'-チオエチル-β-D-グルコピラノシドまたは2'-チオエチル-α-D-グルコピラノシドを含み、前記第2のリガンドが、1-アミノ-17-メルカプト-3,6,9,12,15-ペンタオキサ-ヘプタデカノールを含むか、または、
(d)前記第1のリガンドが、2'-チオエチル-2-アセトアミド-2-デオキシ-β-D-グルコピラノシドを含み、前記第2のリガンドが、1-アミノ-17-メルカプト-3,6,9,12,15-ペンタオキサ-ヘプタデカノールを含み、
前記第1および第2のリガンドが、そのそれぞれの硫黄原子を介してコアに共有結合により連結している、請求項5に記載のナノ粒子。
【請求項７】
前記第1のリガンドおよび前記第2のリガンドが、1:40から40:1の比でナノ粒子上に存在する、請求項5または6に記載のナノ粒子。
【請求項８】
ナノ粒子が、二価金属を含み、前記二価金属が、Zn2+およびZnOから選択される亜鉛を含んでいてもよい、請求項1から7のいずれか一項に記載のナノ粒子。
【請求項９】
複数の、請求項1から8のいずれか一項に記載のナノ粒子と、1種または複数の薬学的に許容される担体または賦形剤とを含む、医薬組成物。
【請求項１０】
医学的治療方法における使用のための、請求項1から8のいずれか一項に記載のナノ粒子。
【請求項１１】
哺乳動物対象における糖尿病の治療用医薬の製造における、請求項1から8のいずれか一項に記載のナノ粒子の使用。
【請求項１２】
(a)少なくとも1種のポリマーを含む1つまたは複数のフィルムマトリックスと、
(b)前記フィルムマトリックスの少なくとも1つに組み込まれた、複数の、請求項1から8の何れか一項に記載のナノ粒子と
を含む、治療的または生体作用性フィルム送達システム。
【請求項１３】
1つまたは複数のフィルムマトリックスが、熱または放射エネルギーの適用から最初の10分以内に、マトリックスから溶媒担体を蒸発させて粘弾性フィルムを形成することにより形成され、それによりナノ粒子が固定され、またはマトリックスとともに移動することが実質的に防止されて、ナノ粒子の実質的に均一な分布を有するフィルム送達システムを提供する、請求項12に記載のフィルム送達システム。
【請求項１４】
ナノ粒子が、フィルムの単位体積当たりのナノ粒子またはナノ粒子により担持されるペプチドの重量パーセント分散が約10%を超えて変動しないように、前記マトリックスの1つ内に分布している、請求項12または13に記載のフィルム送達システム。
【請求項１５】
成分の実質的に均一な分布を有するフィルムを作製するための方法であって、
(a)水溶性または水膨潤性ポリマー、溶媒および活性物質担持成分を含む流動性ポリマーマトリックスを形成するステップであって、前記活性物質担持成分が、複数の、請求項1から8の何れか一項に記載のナノ粒子を含み、前記マトリックスが、前記活性物質の実質的に均一な分布を有する、ステップと、
(b)前記流動性ポリマーマトリックスをキャストするステップと、
(c)前記流動性ポリマーマトリックスから前記溶媒の少なくとも一部分を蒸発させて、約15分以内に粘弾性フィルムを形成して、前記粘弾性フィルム内の前記活性物質を固定すること、またはその移動を実質的に防止することにより、前記活性物質の前記実質的に均一な分布を維持するステップと、
(d)前記粘弾性フィルムから結果として生じるフィルムを形成するステップであって、前記結果として生じるフィルムが、10%以下の含水量を有し、前記活性物質の前記固定またはその移動の実質的な防止による活性物質の前記実質的に均一な分布が維持される、ステップと
を含む方法。
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
ニッケル原子と１つ又は複数のリン含有配位子との間の錯体を生成する方法であって、
（ａ）
（ｉ）ニッケル出発物質を硫黄源と接触させ、ニッケル出発物質と硫黄源との混合物からニッケル金属を生成させて、粒子状硫黄含有ニッケル金属を形成するステップ、又は
（ｉｉ）ニッケル金属を硫黄源と接触させて、粒子状硫黄含有ニッケル金属を形成するステップと、
（ｂ）粒子状硫黄含有ニッケル金属を１つ又は複数のリン含有配位子（単数又は複数）と接触させ、それにより、ニッケル金属のニッケル原子と１つ又は複数のリン含有配位子との間の錯体を形成するステップと
を含む上記方法。
【請求項２】
ニッケル金属又はニッケル出発物質を硫黄源と接触させる前に、ニッケル出発物質又はニッケル金属の硫黄含量を測定するステップをさらに含む、請求項１に記載の方法。
【請求項３】
ニッケル金属又はニッケル出発物質の硫黄含量がニッケル金属又はニッケル出発物質の重量に対して０．４重量％〜０．８重量％未満である場合に、ニッケル金属又はニッケル出発物質を硫黄源と接触させる、請求項２に記載の方法。
【請求項４】
ステップ（ｉｉ）におけるニッケル金属を硫黄源及び１つ又は複数のリン含有配位子（単数又は複数）と同時に接触させる、請求項１から３までのいずれかに記載の方法。
【請求項５】
硫黄源が元素状硫黄、硫黄含有ガス、硫黄含有塩、硫黄供与化合物、硫黄含有イオン及びそれらの組合せからなる群から選択される、請求項１から４までのいずれかに記載の方法。
【請求項６】
１つ又は複数のリン配位子が以下の式（ＩＩＩ）の配位子である、請求項１に記載の方法
【化１】
2014522408.tif 000001
（式中、
Ｘ11、Ｘ12、Ｘ13、Ｘ21、Ｘ22及びＸ23は、独立に酸素又は直接単結合を表し、
Ｒ11及びＲ12は、独立に同じ又は異なる単一又は架橋有機基を表し、
Ｒ21及びＲ22は、独立に同じ又は異なる単一又は架橋有機基を表し、
Ｙは、架橋基を表す）。
【請求項７】
ニッケル結晶子及び０．２重量％〜１２重量％の硫黄を含むニッケル粒子形態であって、ニッケル粒子形態は少なくとも１ｍ2／ｇｍのＢＥＴ比表面積を有し、ニッケル結晶子の少なくとも１０％が２０ｎｍ未満であるサイズ（Ｃ１０）を有し、ニッケル結晶子径分布範囲が１．０を超える、上記ニッケル粒子形態。
【請求項８】
４〜５重量％のニッケル粒子形態を、５．２５重量％の配位子（Ｖ）及び６３００ｐｐｍのＺｎＣｌ2を含有する３−ペンテンニトリルと混合する場合に、ニッケル粒子形態のニッケル原子と配位子（Ｖ）との間の錯体形成の平衡が２時間以内に到達し、配位子（Ｖ）が以下の式を有する、
【化２】
2014522408.tif 000002
請求項７に記載のニッケル粒子形態。
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
（ａ）シトレート；（ｂ）メチレンブルー；及び（ｃ）アルキルパラ−ヒドロキシベンゾエートを含む、哺乳動物乳頭を治療又は保護するための局所用組成物。
【請求項２】
局所用組成物が、
（ａ）約０．１〜２Ｍのシトレート；
（ｂ）約０．１〜３ｍＭのメチレンブルー；及び
（ｃ）約１０〜５０ｍＭのアルキルパラ−ヒドロキシベンゾエート
を含む、請求項１に記載の局所用組成物。
【請求項３】
局所用組成物が約０．００５〜０．５重量％のメチレンブルーを含む、請求項１又は２に記載の局所用組成物。
【請求項４】
局所用組成物が、メチルパラ−ヒドロキシベンゾエート、プロピルパラ−ヒドロキシベンゾエート又はその両方を含む、請求項１〜３のいずれか１項に記載の局所用組成物。
【請求項５】
局所用組成物がアルコールをさらに含む、請求項１〜４のいずれか１項に記載の局所用組成物。
【請求項６】
アルコールがイソプロピルアルコールである、請求項５に記載の局所用組成物。
【請求項７】
局所用組成物が約０．１％〜２０％のアルコールを含む、請求項５又は６に記載の局所用組成物。
【請求項８】
局所用組成物が皮膚軟化剤をさらに含む、請求項１〜７のいずれか１項に記載の局所用組成物。
【請求項９】
局所用組成物が約５重量％以上の皮膚軟化剤を含む、請求項８に記載の局所用組成物。
【請求項１０】
皮膚軟化剤が、グリセロール、プロピレングリコール、ラノリン又はその組み合わせを含む、請求項８又は９に記載の局所用組成物。
【請求項１１】
局所用組成物が、界面活性剤、増粘剤又はフィルム形成剤をさらに含む、請求項１〜１０のいずれか１項に記載の局所用組成物。
【請求項１２】
局所用組成物が、アノライト又はアスコルビン酸をさらに含む、請求項１〜１１のいずれか１項に記載の局所用組成物。
【請求項１３】
局所用組成物が約０．３Ｍ以上の濃度のナトリウムをさらに含む、請求項１〜１２のいずれか１項に記載の局所用組成物。
【請求項１４】
局所用組成物のｐＨが約４〜８である、請求項１〜１３のいずれか１項に記載の局所用組成物。
【請求項１５】
局所用組成物が、２５℃、１ａｔｍの圧力で測定される約５０ｃＰ以上の動粘度を有する、請求項１〜１４のいずれか１項に記載の局所用組成物。
【請求項１６】
局所用組成物が、液体、ゲル又はフォームである、請求項１〜１５のいずれか１項に記載の局所用組成物。
【請求項１７】
乳腺炎を治療又は保護するための、又は乳頭の皮膚のコンディショニングのための、請求項１〜１６のいずれか１項に記載の局所用組成物。
【請求項１８】
哺乳動物が食料生産動物である、請求項１〜１９のいずれか１項に記載の局所用組成物。
【請求項１９】
哺乳動物乳頭を治療又は保護するための二部に分かれた局所用組成物であって、
（ａ）ポリマーを含む第一の局所用組成物；及び
（ｂ）該ポリマーの架橋剤を含む第二の局所用組成物；を含み、
第一及び第二の局所用組成物は、乳頭に適用されると保護コーティングを形成する、局所用組成物。
【請求項２０】
第一もしくは第二の局所用組成物又はその両方がシトレートを含む、請求項１９に記載の局所用組成物。
【請求項２１】
第一もしくは第二の局所用組成物又はその両方がメチレンブルーを含む、請求項１９又は２０に記載の局所用組成物。
【請求項２２】
第一もしくは第二の局所用組成物又はその両方がアルキルパラ−ヒドロキシベンゾエートを含む、請求項１９〜２１のいずれか１項に記載の局所用組成物。
【請求項２３】
第一もしくは第二の局所用組成物又はその両方がアルコールを含む、請求項１９〜２２のいずれか１項に記載の局所用組成物。
【請求項２４】
ポリマーがポリビニルアルコールである、請求項１９〜２３のいずれか１項に記載の局所用組成物。
【請求項２５】
架橋剤がボレートである、請求項２４に記載の局所用組成物。
【請求項２６】
第一の局所用組成物が、シトレート、メチレンブルー及びポリビニルアルコールを含み、第二の局所用組成物が、シトレート、パラ−ヒドロキシ安息香酸アルキル、アルコール及びホウ砂を含む、請求項１９に記載の局所用組成物。
【請求項２７】
（ａ）約０．１〜２Ｍのシトレート；
（ｂ）約０．１〜３ｍＭのメチレンブルー；
（ｃ）約１０〜５０ｍＭのアルキルパラ−ヒドロキシベンゾエート；
（ｄ）約０．１％〜約２０％のアルコール；及び
（ｅ）約５重量％以上の皮膚軟化剤
を含む、局所用組成物。
【請求項２８】
組成物が約０．００５〜０．０５重量％のメチレンブルーを含む、請求項２７に記載の局所用組成物。
【請求項２９】
皮膚軟化剤が、グリセロール、プロピレングリコール、ラノリン又はその組み合わせを含む、請求項２７又は２８に記載の組成物。
【請求項３０】
局所用組成物が約０．３Ｍ以上の濃度のナトリウムをさらに含む、請求項２７〜２９のいずれか１項に記載の組成物。
【請求項３１】
局所用組成物のｐＨが約６〜８である、請求項２７〜３０のいずれか１項に記載の組成物。
【請求項３２】
局所用組成物が、界面活性剤、増粘剤、ゲル化剤又はフィルム形成剤をさらに含む、請求項２７〜３１のいずれか１項に記載の組成物。
【請求項３３】
局所用組成物が約５０ｃＰ以上の粘度を有する、請求項２７〜３２のいずれか１項に記載の組成物。
【請求項３４】
局所用組成物が、液体、ゲル又はフォームである、請求項２７〜３３のいずれか１項に記載の組成物。
【請求項３５】
（ａ）約０．１〜２Ｍのシトレート；
（ｂ）約０．１〜３ｍＭのメチレンブルー；
（ｃ）約１０〜５０ｍＭのアルキルパラ−ヒドロキシベンゾエート；
（ｄ）約２０％〜約８０％のアルコール；及び
（ｅ）ゲル化剤
を含む、局所用組成物。
【請求項３６】
（ａ）シトレート；
（ｂ）約０．１〜３ｍＭのメチレンブルー；及び
（ｃ）約５〜５０重量％のポリマー
を含む、局所用組成物。
【請求項３７】
組成物が約０．００５〜０．０５重量％のメチレンブルーを含む、請求項３５又は３６に記載の局所用組成物。
【請求項３８】
（ａ）約０．１〜２Ｍのシトレート；
（ｂ）約２０〜１００ｍＭのアルキルパラ−ヒドロキシベンゾエート；
（ｃ）約１〜１０％のアルコール；及び
（ｄ）架橋剤
を含む、局所用組成物。
【請求項３９】
請求項３６に記載の組成物と請求項３８に記載の組成物を含む、キット。
【請求項４０】
請求項３６に記載の組成物が約０．００５〜０．０５重量％のメチレンブルーを含む、請求項３８に記載のキット。
【請求項４１】
皮膚又は傷を洗浄するための、又は哺乳動物乳頭を治療又は保護するための、請求項２７〜３８のいずれか１項に記載の局所用組成物。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
車両内の位置特定システムであって、
全地球測位システム（ＧＰＳ）受信機と、
レーダセンサと、
格納されたプログラム命令を含むデータ記憶装置と、
前記データ記憶装置内に格納されたシンボリックマップと、
前記データ記憶装置、前記ＧＰＳ受信機及び前記レーダセンサに動作可能に結合されたコントローラであって、
前記ＧＰＳ受信機からのデータ、前記レーダセンサからのデータ及び前記格納されたシンボリックマップからのデータを分析し、
前記分析に基づいて確率的車両位置を決定する
ために前記プログラム命令を実行するように構成される、コントローラと
を備えるシステム。
【請求項２】
前記ＧＰＳ受信機からのデータ、前記レーダセンサからのデータ及び前記格納されたシンボリックマップからのデータを分析することは、
前記ＧＰＳ受信機からのデータに基づいて可能性のある車両位置のリストを生成することを含み、
前記確率的車両位置を決定することは、
前記可能性のある車両位置の各々について実際の位置確率を推定することを含む請求項１に記載のシステム。
【請求項３】
前記ＧＰＳ受信機からのデータ、前記レーダセンサからのデータ及び前記格納されたシンボリックマップからのデータを分析することは、
前記レーダにより検出された複数の物体の各々の速度を決定することと、
前記決定された速度に基づいて、前記レーダにより検出された前記複数の物体の各々を分類することと
を含む請求項２に記載のシステム。
【請求項４】
前記複数の物体の各々を分類することは、
前記レーダにより検出された前記複数の物体の各々を、前記決定された速度に基づいて、静的又は動的として分類すること
を含む請求項３に記載のシステム。
【請求項５】
確率的車両位置を決定することは、
前記可能性のある車両位置の各々について、動的であると分類された前記複数の物体のうちの各々についてのそれぞれの動的物体アライメントスコアを決定することと、
前記可能性のある車両位置の各々について、静的であると分類された前記複数の物体のうちの各々についてのそれぞれの静的物体アライメントスコアを決定することと
を含む請求項４に記載のシステム。
【請求項６】
前記それぞれの動的物体アライメントスコアは、車線の第１の推定される中心に関して動的であると分類された前記複数の物体のうちのそれぞれ１つの推定位置に基づき、
前記それぞれの静的物体アライメントスコアは、車線の第２の推定される中心に関して静的であると分類された前記複数の物体のうちのそれぞれの１つの推定位置に基づく請求項５に記載のシステム。
【請求項７】
前記確率的車両位置を決定することは、
前記可能性のある車両位置の各々について、前記複数の物体の各々のそれぞれの物体アライメントスコアを決定すること
を含む請求項３に記載のシステム。
【請求項８】
前記それぞれの物体アライメントスコアは、車線の推定される中心に対する前記複数の物体のうちのそれぞれ１つの推定位置に基づく請求項７に記載のシステム。
【請求項９】
前記コントローラはさらに、前記決定された確率的車両位置に基づいて、車線特有のナビゲーション指示を生成するために前記プログラム命令を実行するように構成される請求項１に記載のシステム。
【請求項１０】
前記コントローラはさらに、前記決定された確率的車両位置に基づいて車線特有の車線逸脱警告を生成するために前記プログラム命令を実行するように構成される請求項１に記載のシステム。
【請求項１１】
前記コントローラはさらに、前記決定された確率的車両位置に基づいて、適応巡航指示を生成するために前記プログラム命令を実行するように構成される請求項１に記載のシステム。
【手続補正２】
【補正対象書類名】明細書
【補正対象項目名】００１２
【補正方法】変更
【補正の内容】
【００１２】
[0012]別の実施例によれば、車両を位置特定する方法は、全地球測位システム（ＧＰＳ）位置を決定すること、レーダにより検出された複数の物体に関連付けられるレーダセンサデータを取得すること、決定されたＧＰＳ位置に基づいてシンボリックマップを参照して第１の可能性のある車両位置を規定すること、第１の可能性のある車両に基づいてシンボリックマップを参照してレーダにより検出された複数の物体の第１の位置を推定すること、レーダにより検出された複数の物体の推定された第１の位置を分析すること、及び推定された第１の位置の分析に基づいて確率的な車両位置を決定することを含む。
別の実施例によれば、車両を位置特定する方法は、前記決定されたＧＰＳ位置に基づいて、前記シンボリックマップを参照して、第２の可能性のある車両位置を規定するステップと、前記第２の可能性のある車両位置に基づいて、前記シンボリックマップを参照して、前記レーダにより検出された複数の物体の第２の位置を推定するステップと、前記レーダにより検出された複数の物体の前記推定された第２の位置を分析するステップと、前記推定された第２の位置の分析に基づいて確率的車両位置を決定するステップとをさらに含む。
別の実施例によれば、車両を位置特定する方法は、前記レーダにより検出された複数の物体の各々について速度を決定するステップと、前記決定された速度に基づいて、前記レーダにより検出された複数の物体の各々を分類するステップとをさらに含む。
別の実施例によれば、前記レーダにより検出された複数の物体の各々を分類するステップは、前記決定された速度に基づいて、前記レーダにより検出された複数の物体の各々を静的又は動的と分類するステップを含む。
別の実施例によれば、前記推定された第１の位置の分析に基づいて確率的車両位置を決定するステップは、動的であると分類された前記レーダにより検出された複数の物体の各々についてそれぞれの動的物体アライメントスコアを決定するステップと、静的であると分類された前記レーダにより検出された複数の物体の各々についてそれぞれの静的物体アライメントスコアを決定するステップとを含む。
別の実施例によれば、前記それぞれの動的物体アライメントスコアは、車線の第１の推定される中心に関して動的であると分類された前記レーダにより検出された複数の物体のうちのそれぞれ１つの推定位置に基づき、前記それぞれの静的物体アライメントスコアは、車線の第２の推定される中心に関して静的であると分類された前記レーダにより検出された複数の物体のうちのそれぞれ１つの推定位置に基づく。
別の実施例によれば、推定された第１の位置の分析に基づいて確率的車両位置を決定するステップは、前記レーダにより検出された複数の物体の各々についてそれぞれの物体アライメントスコアを決定するステップを含む。
別の実施例によれば、前記それぞれの物体アライメントスコアは、車線の推定される中心に対して前記レーダにより検出された複数の物体のそれぞれ１つの推定位置に基づく。
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
回収材料を含有する回収流体から回収材料を回収するための装置であって、
前記装置が、少なくとも１つの容器（Ｃ）を備え、
前記少なくとも１つの容器（Ｃ）が、少なくとも１つの収着材料を含み、
前記少なくとも１つの収着材料が、前記少なくとも１つの容器（Ｃ）中に少なくとも１つの収着床（ＳＢ）を形成し、前記少なくとも１つの収着床（ＳＢ）が前記回収流体の通過を可能にする、装置において、
前記少なくとも１つの容器（Ｃ）が、前記少なくとも１つの収着床の体積変化（ＶＣ）を補償するために前記少なくとも１つの収着床（ＳＢ）を固定するための少なくとも１つの手段（ＭＬ、ＥＰ、ＦＭ、ＭＯ）をさらに有し、
前記少なくとも１つの容器（Ｃ）が、再生剤流体が前記少なくとも１つの容器（Ｃ）に入るのを可能にする少なくとも１つの第１の流体ポート（ＦＰ）と、前記再生剤流体が前記少なくとも１つの容器（Ｃ）を出るのを可能にする少なくとも１つの第２の流体ポート（ＳＰ）とをさらに有し、前記少なくとも１つの第２の流体ポートが、前記少なくとも１つの収着床（ＳＢ）の体積変化（ＶＣ）に関係なく、前記少なくとも１つの収着床（ＳＢ）と恒久的に前記少なくとも１つの容器（Ｃ）が直接接触していることによって構成され、
少なくとも１つの固定手段が、少なくとも１つの収着床（ＳＢ）を、少なくとも１つの容器（Ｃ）中の所定位置に固定するための手段（ＭＬ）を有し、前記固定手段（ＭＬ）が、前記少なくとも１つの容器（Ｃ）中に自由に移動できるように取り付けられ、それによって、前記収着床（ＳＢ）を恒久的に圧密化し、固定することを特徴とする、装置。
【請求項２】
前記収着床（ＳＢ）が、収着床高さおよび収着床幅を有し、前記収着床高さに対する前記収着床幅のアスペクト比が１：１０以下であることを特徴とする、請求項１に記載の装置。
【請求項３】
前記固定手段が、前記少なくとも１つの容器（Ｃ）中の前記収着床（ＳＢ）を重力によって充填する重力おもり（ＧＷ）を有することを特徴とする、請求項１または２に記載の装置。
【請求項４】
少なくとも１つの収着材料が、イオン交換材料を含むことを特徴とする、請求項１〜３のいずれか一項に記載の装置。
【請求項５】
少なくとも１つの収着材料が、単分散の収着材料であることを特徴とする、請求項１〜４のいずれか一項に記載の装置。
【請求項６】
回収材料を含有する回収流体から前記回収材料を回収する方法であって、
ａ）充填工程にて、前記回収材料を含有する回収流体を、少なくとも１つの収着材料と接触させることによって、少なくとも１つの容器（Ｃ）に含まれる少なくとも１つの収着床（ＳＢ）を形成する前記少なくとも１つの収着材料に、前記回収材料を充填することと；
ｂ）再生工程にて、再生剤流体が少なくとも１つの第１の流体ポート（ＦＰ）を通して前記少なくとも１つの容器（Ｃ）に入ることを可能にすることによって、前記再生剤流体を、前記回収材料を充填した前記少なくとも１つの収着材料と接触させ、前記回収材料を前記再生剤流体に充填して、前記再生剤流体が少なくとも１つの第２の流体ポート（ＳＰ）を通して前記少なくとも１つの容器（Ｃ）を出るのを可能にすることによって、前記少なくとも１つの収着材料から、前記回収材料を取り出すことと
を有する、方法において、
ｃ）前記少なくとも１つの収着床の体積変化（ＶＣ）を補償するために、前記少なくとも１つの収着床（ＳＢ）を固定する方法工程をさらに有し、
前記少なくとも第２の流体ポート（ＳＰ）が前記容器（Ｃ）内の前記少なくとも１つの収着床（ＳＢ）と恒久的に直接接触していることを特徴とする、装置。
【請求項７】
前記収着床（ＳＢ）の収着床高さと前記収着床（ＳＢ）の収着床幅とのアスペクト比を１：１０以下であるように選択するさらなる方法工程を有することを特徴とする、請求項６に記載の方法。
【請求項８】
前記回収流体が、前記充填工程にて充填方向（ＬＤ）で前記少なくとも１つの収着床（ＳＢ）に通され、前記再生剤流体が、前記再生工程にて再生方向（ＲＤ）で前記少なくとも１つの収着床（ＳＢ）に通され、前記充填方向と前記再生方向が互いに反対であることを特徴とする、請求項６または７に記載の方法。
【請求項９】
前記再生方向（ＲＤ）が、重力方向に平行であり、前記充填方向（ＬＤ）が、重力方向に逆平行であることを特徴とする、請求項８に記載の方法。
【請求項１０】
前記回収流体が、前記充填工程にて充填質量流量で前記少なくとも１つの収着床（ＳＢ）に通され、前記再生剤流体が、前記再生工程にて再生質量流量で前記少なくとも１つの収着床（ＳＢ）に通され、前記充填質量流量が、前記再生質量流量より多いことを特徴とする、請求項６〜９のいずれか一項に記載の方法。
【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
式ＩおよびＩＩで表される化合物の群から選択される１種または２種以上の化合物を含むメソゲン媒体。
【化１】
2014522432.tif 000001
式中
Ｌ１は、ＨまたはＦであり、
Ｌ２１〜Ｌ２３は、互いに独立して、ＨまたはＦであり、
Ｒ１およびＲ２は、互いに独立して、アルキルであり、これは直鎖または分枝であり、非置換であるか、Ｆ、ＣｌまたはＣＮにより単置換または多置換されており、およびここにおいて１つまたは２つ以上のＣＨ２基は、それぞれの場合において互いに独立して、−Ｏ−、−Ｓ−、−ＮＲ０１−、−ＳｉＲ０１Ｒ０２−、−ＣＯ−、−ＣＯＯ−、−ＯＣＯ−、−ＯＣＯ−Ｏ−、−Ｓ−ＣＯ−、−ＣＯ−Ｓ−、−ＣＹ０１＝ＣＹ０２−または−Ｃ≡Ｃ−により、Ｏおよび／またはＳ原子が互いに直接的に結合しないように置き換えられていてもよく、
Ｙ０１およびＹ０２は、互いに独立して、Ｆ、ＣｌまたはＣＮであり、および代替的にそれらの１つはＨであってもよく、
Ｒ０１およびＲ０２は、互いに独立して、Ｈまたは１〜１２個のＣ原子を有するアルキルである。
【請求項２】
１種または２種以上の重合性化合物を含むことを特徴とする、請求項１に記載の媒体。
【請求項３】
式ＩＩＩで表される１種または２種以上の化合物を含むことを特徴とする、請求項１または２に記載の媒体。
【化２】
2014522432.tif 000002
式中、Ｒ３は請求項１においてＲ１に対して示される意味を有する。
【請求項４】
式ＩＶおよびＶで表される化合物の群から選択される１種または２種以上の化合物を含むことを特徴とする、請求項１〜３のいずれか一項に記載の媒体。
【化３】
2014522432.tif 000003
式中
Ｒ４およびＲ５は、互いに独立して、アルキルであり、これは直鎖または分枝であり、１〜２０個のＣ原子を有し、非置換であるか、Ｆ、ＣｌまたはＣＮにより単置換または多置換されており、およびここにおいて１つまたは２つ以上のＣＨ２基は、それぞれの場合において互いに独立して、−Ｏ−、−Ｓ−、−ＣＯ−、−ＣＯＯ−、−ＯＣＯ−、−ＯＣＯ−Ｏ−、−Ｓ−ＣＯ−、−ＣＯ−Ｓ−または−Ｃ≡Ｃ−により、Ｏおよび／またはＳ原子が互いに直接的に結合しないように置き換えられていてもよく、
Ｌ５は、ＨまたはＦであり、
【化４】
2014522432.tif 000004
ｎおよびｍは、互いに独立して、０または１である。
【請求項５】
請求項１に記載の式Ｉで表される１種または２種以上の化合物を含むことを特徴とする、請求項１〜４のいずれか一項に記載の媒体。
【請求項６】
請求項１に記載の式ＩＩで表される１種または２種以上の化合物を含むことを特徴とする、請求項１〜５のいずれか一項に記載の媒体。
【請求項７】
ブルー相を有することを特徴とする、請求項１〜６のいずれか一項に記載の媒体。
【請求項８】
請求項２〜７のいずれか一項に記載の媒体にその重合性成分の重合化を施すことを特徴とする、メソゲン媒体の安定化方法。
【請求項９】
請求項２〜７のいずれか一項に記載の媒体の重合性成分を重合化することにより安定化された、メソゲン媒体。
【請求項１０】
請求項１〜７および９のいずれか一項に記載の媒体を含むことを特徴とする、光変調素子。
【請求項１１】
請求項１〜７および９のいずれか一項に記載の媒体を含むことを特徴とする、電気光学ディスプレイ。
【請求項１２】
請求項１〜７および９のいずれか一項に記載の媒体の、光変調素子における使用。
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
−ＳＯ2Ｘ官能基（式中、ＸはＸ’又はＯＭから選択され、且つ、Ｘ’はＦ、Ｃｌ、Ｂｒ、Ｉからなる群から選択され、且つ、Ｍは、Ｈ、アルカリ金属、ＮＨ4からなる群から選択される）を含む少なくとも１つのフッ素化ポリマーと、少なくとも１つのフッ素化芳香族化合物とを含む組成物。
【請求項２】
前記フッ素化芳香族化合物が、５〜１３２のｓｐ2混成炭素原子、又は合計５〜１２０のｓｐ2混成炭素原子、窒素原子、酸素原子、及び硫黄原子を含む少なくとも１つの芳香族部位を含み、
前記芳香族部位は、前記ｓｐ2混成炭素原子、並びに前記窒素原子、前記酸素原子、及び前記硫黄原子に結合した水素原子を有しておらず、且つ、前記芳香族部位の前記ｓｐ2混成炭素原子に結合した少なくとも１つのフッ素原子を含む、請求項１に記載の組成物。
【請求項３】
前記フッ素化芳香族化合物は、前記フッ素化ポリマーの前記−ＳＯ2Ｘ’官能基と反応できる官能基を含む少なくとも２つの置換基を有する、請求項１又は２に記載の組成物。
【請求項４】
前記少なくとも１つの芳香族部位がベンゼンである、請求項１〜３のいずれか一項に記載の組成物。
【請求項５】
前記少なくとも１つのフッ素化芳香族化合物が、パーフルオロベンゼン、パーフルオロビフェニル、パーフルオロトルエン、パーフルオロ−ｐ−キンクエフェニル、パーフルオロ−ｐ−セキシフェニル、１、３、５（ペンタフルオロフェニル）−２、４、６フルオロ−ベンゼン、及び式（Ｉ）
【化１】
2014522437.tif 000001
（式中、Ｘ1は酸素原子又はＮＨ基であり、ＲH1は、Ｃ1〜Ｃ20、好ましくはＣ1〜Ｃ6アルキレン又はフルオロアルキレン基であり、Ｒa1及びＲa2は、互いに等しく又は異なり、Ｈ、Ｃ1〜Ｃ20アルキル又はフルオロアルキル、−Ｓｉ（Ｒb）3からなる群から選択され、且つ、ＲbはＣ1〜Ｃ5アルキルであり、ＲHFは、Ｃ1〜Ｃ20アルキレン又はフルオロアルキレン基であり、任意選択で、環状又は芳香族部位を含み、任意選択で、例えば、Ｏ、ＮＨ等のヘテロ原子をアルキレン鎖に含み、且つ、式中、Ｗfは、フッ素原子、又はＣ1〜Ｃ6パーフルオロアルキル基、好ましくはフッ素原子である）の化合物からなる群から選択される、請求項１〜４のいずれか一項に記載の組成物。
【請求項６】
前記少なくとも１つのフッ素化芳香族化合物が、少なくとも１つの芳香族部位を含むポリマーである、請求項１〜４のいずれか一項に記載の組成物。
【請求項７】
前記少なくとも１つのフッ素化芳香族化合物が、フッ素化ポリマーの１グラム当たり前記組成物中の前記芳香族部位の全モル数が少なくとも０．００５％であり、且つ、１％を超えることがないような量で存在する、請求項１〜６のいずれか一項に記載の組成物。
【請求項８】
液状媒体中で分散又は溶解させた請求項１〜７のいずれか一項に記載の組成物を含む液状組成物。
【請求項９】
前記フッ素化ポリマーにおいて、Ｘ＝ＯＭ、且つ、Ｍ＝Ｈである、請求項８に記載の液状組成物。
【請求項１０】
固体の形態で又は溶液中で、前記少なくとも１つのフッ素化芳香族化合物及び前記少なくとも１つのフッ素化ポリマーをブレンドすることを含む、請求項１〜９のいずれか一項に記載の組成物の調製方法。
【請求項１１】
請求項１〜７のいずれか一項に記載の組成物を含む膜。
【請求項１２】
支持体を更に含む請求項１１に記載の膜。
【請求項１３】
前記支持体が、フッ素化ポリマーからなる多孔質支持体である、請求項１２に記載の膜。
【請求項１４】
前記フッ素化ポリマーにおいて、Ｘ＝Ｘ’、好ましくはＸ＝Ｆである、請求項１〜７のいずれか一項に記載の組成物を押し出し成形することを含む、請求項１１〜１３のいずれか一項に記載の膜の調製方法。
【請求項１５】
請求項８又は９に記載の液状組成物の含浸、キャスティング、又は塗工を含む、請求項１１〜１３のいずれか一項に記載の膜の調製方法。
【請求項１６】
請求項１１〜１３のいずれか一項に記載の膜を含む燃料電池。